(57)【特許請求の範囲】
【請求項１】
天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、
上記昇降グリルは、上記吸込グリルの角部四ヶ所を吊りひもにて上記グリル枠に吊持され、上記吸込グリルがフィルタ交換位置まで降下すると、吸込グリルの吊持位置のうち、長手方向の二ヶ所に位置する吊りひもを所定時間繰り出して上記吸込グリルを傾斜させる制御装置を備えることを特徴とする天井埋込型空気調和装置。
【請求項２】
上記昇降グリルは、被調和室の中央部側に傾ける構成を備えたことを特徴とする請求項１に記載の天井埋込型空気調和装置。
【請求項３】
上記制御装置は、上記吸込グリルが上昇する時には、この吸込グリルの吊持位置のうち、長手方向の二ヶ所に位置する吊りひもを巻き、上記昇降グリルを水平状態に戻すことを特徴とする請求項１または２に記載の天井埋込型空気調和装置。
【発明の詳細な説明】
【０００１】
【発明の属する技術分野】
本発明は、天井埋込型空気調和装置に関する。
【０００２】
【従来の技術】
天井内に埋設される本体の下端に、吹出口と吸込口とを有するグリル枠を設け、このグリル枠の吸込口開口部にフィルタを支持する吸込グリルを設け、この吸込グリルをフィルタごと昇降自在に形成し、フィルタを交換するときには吸込グリルをフィルタごと降下させて、このフィルタを低所で交換できるようにした空気調和装置が知られている。
【０００３】
【発明が解決しようとする課題】
従来の構成では、フィルタの交換、清掃時において、吸込グリルに設置されたフィルタを着脱し易くすることは、空気調和装置のメンテナンス作業の効率を向上させる重要な問題である。
【０００４】
本発明の目的は、上述した従来の技術が有する課題を解消し、フィルタの清掃、交換等においてフィルタの着脱作業を行い易くする天井埋込型空気調和装置を提供することにある。
【０００５】
【課題を解決するための手段】
請求項１に記載の発明は、天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、上記昇降グリルは、上記吸込グリルの角部四ヶ所を吊りひもにて上記グリル枠に吊持され、上記吸込グリルがフィルタ交換位置まで降下すると、吸込グリルの吊持位置のうち、長手方向の二ヶ所に位置する吊りひもを所定時間繰り出して上記吸込グリルを傾斜させる制御装置を備えることを特徴とする。
【０００７】
請求項２に記載の発明は、請求項１記載のものにおいて、上記昇降グリルを被調和室の中央部側に傾ける手段を備えたことを特徴とする。
【０００８】
請求項１または２に記載の発明によれば、上記昇降グリルを傾けるため、フィルタ面が現れ、フィルタの状態が確認される。
【０００９】
請求項３に記載の発明は、請求項１または２に記載のものにおいて、上記制御装置は、上記吸込グリルが上昇する時には、この吸込グリルの吊持位置のうち、長手方向の二ヶ所に位置する吊りひもを巻き、上記昇降グリルを水平状態に戻す構成を備えたことを特徴とする。
【００１０】
この発明では、上記吸込グリルを水平状態に戻して上昇させるため、吸込グリルは上記グリル枠に水平状態のまま装着される。
【００１１】
【発明の実施の形態】
以下、本発明の実施の形態を、図面に基づき説明する。
【００１２】
図１は本発明に係る天井埋込型空気調和装置１００を示す図である。図１に示すように、天井埋込型空気調和装置１００は、居住空間において天井に設置され、特に壁寄りの位置に設けられる。本体１は天井内部に埋設されている。
【００１３】
この本体１の内部には、図２，３に示すように、熱交換器２、送風機３等が収納されている。本体１の下端にはグリル枠４が固定されている。このグリル枠４の一端側には、居住空間の広域側寄りに吹出口５が設けられている。この吹出口５から居住空間の広域側（被調和室の中央部側）に空気が吐出される。また、上記グリル枠４の他端側には、壁寄りの位置に吸込口６が設けられており、この吸込口６から空気が吸い込まれる。この吸込口６には昇降グリル２００が配設されている。
【００１４】
昇降グリル２００は、吸込グリル１０と、この吸込グリル１０を昇降させる昇降機構２０とを有し構成されている。
【００１５】
上記吸込グリル１０の開口部には、吸込空気を清浄化するためのフィルタ１１が着脱可能に設置されている。これら吸込グリル１０とフィルタ１１とは、図１に示すように、四本の吊りひも１２，１３を介して、グリル枠４に昇降自在に吊持されている。
【００１６】
上記吸込グリル１０の四ヶ所には四本の吊りひも１２，１３の一端１２ａ，１３ａがそれぞれ止着され、各吊りひも１２，１３の他端１２ｂ，１３ｂは、昇降機構２０につながれている。
【００１７】
この昇降機構２０は、図２，３に示すように、機械部２１Ａ，２１Ｂを有し構成されており、これら機械部２１Ａ，２１Ｂは、上記グリル枠４の長手方向に平行に設置され、図３に示すように、上記吸込口６を挟んで対面するように固定されている。これら機械部２１Ａ，２１Ｂの内部には、図示しないローラを各々二個ずつ有し、ローラは図示しないシャフトの両端部に連結され、このシャフトは、図示しないギヤを介して、モータの出力軸に連結されている。上記機械部２１Ａ，２１Ｂの各ローラには、前述した各吊りひも１２，１３の他端１２ｂ，１３ｂがそれぞれ試着されている。
【００１８】
これら機械部２１Ａ，２１Ｂの各モータが回転する時、シャフトにローラが連結されているので、ローラに動力が伝達され、ローラはこのシャフトと一体に回転して、それぞれの吊りひも１２，１３は繰り出し／巻き取りされる。
【００１９】
上記制御装置は、制御装置と無線状態で通信されるリモコン３０によりグリル昇降運転を選択した時に、上記モータが制御される。グリル昇降運転は、上記吸込グリル１０の上昇運転と降下運転とを有して構成されており、上記フィルタ１１の清掃、交換等のメンテナンス作業時に使用される。
【００２０】
このメンテナンス作業時には、まず作業者Ａがリモコン３０からグリル昇降運転の降下運転を選択する。降下運転が選択されると、上記図示しない制御装置により機械部２１Ａ，２１Ｂのモータが起動されて、これら機械部２１Ａ，２１Ｂのローラから吊りひも１２，１３が繰り出され、上記吸込グリル１０は天井から降下され始める。この時、ローラから繰り出される吊りひも１２，１３の繰り出し量は、制御装置により各々同量を保たれ、上記吸込グリル１０は水平状態を維持されながら降下される。
【００２１】
上記吸込グリル１０がフィルタ交換位置Ｘ近くの位置Ｙまで降下されると、図示しない制御装置により、第一の時間がカウントされ始める。第一の時間は上記吸込グリル１０が位置Ｙからフィルタ交換位置Ｘに降下されるまでの時間である。第一の時間がカウントされる間、上記吸込グリル１０は水平状態でフィルタ交換位置Ｘまで降下される。このフィルタ交換位置Ｘまで上記吸込グリル１０が降下されると、上記機械部２１Ａ，２１Ｂの各モータのうち、一方の機械部２１Ｂのモータが停止される。そして、図示しない制御装置により、第二の時間がカウントされ始める。第二の時間は、上記吸込グリル１０が水平状態から傾き角ａまで傾けられる時間である。この第二の時間の間、他方の機械部２１Ａのモータのみ起動され、他方の機械部２１Ａのローラから吊りひも１２が繰り出され、上記吸込グリル１０は水平状態から被調和室の中央部側（空気の吐出側）に傾けられる。そして上記吸込グリル１０が傾き角ａに傾けられると、図示しない制御装置により、他方の機械部２１Ａのモータは停止され、降下運転が停止される。
【００２２】
ここで、上記フィルタ交換位置Ｘは、作業者Ａがメンテナンス作業可能な低所位置であるのが望ましい。このフィルタ交換位置Ｘは、一方の機械部２１Ｂのローラから繰り出される吊りひも１３の繰り出し量により表される。例えば天井高さ約２．５ｍの居住空間において、フィルタ交換位置Ｘは、天井から吊りひも１３を約１ｍ繰り出して、上記吸込グリル１０が約１ｍ降下した位置であり、上記吸込グリル１０が床から約１．５ｍの高さである。
【００２３】
また、上記傾き角度ａは、上記フィルタ交換位置Ｘにおいて、居住空間の広域側（被調和室の中央部側）に位置する作業者Ａの視野に、上記フィルタ１１の面が確認できる角度であるのが望ましい。例えば、被調和室の中央部側（空気吐出側）に水平位置から４５度傾けられる。
【００２４】
次に、上記フィルタ交換位置Ｘにおいて、作業者Ａにより上記フィルタ１１は上記吸込グリル１０から取り外され、清掃、交換される。その後、上記フィルタ１１は上記吸込グリル１０に取り付けられ、作業者Ａによりリモコン３０からグリル昇降運転の上昇運転が選択される。
【００２５】
上昇運転が選択されると、図示しない制御装置により、第三の時間がカウントされ始める。この第三の時間は、傾き角ａに傾けられた上記吸込グリル１０が水平状態に戻るまでの時間である。この第三の時間がカウントされ始めると、まず一方の機械部２１Ａのモータが起動され、上記吊りひも１２が一方の機械部２１Ａのローラに巻き取られ、被調和室の中央部側（空気吐出側）に傾いた上記吸込グリル１０の一端側が水平状態に戻りながら上昇される。
【００２６】
次に上記吸込グリル１０が水平状態に戻されると、他方の機械部２１Ｂのモータが起動されて、上位吸込グリル１０は水平状態で上昇される。そして、上記吸込グリル１０は水平状態のまま上記グリル枠４に着入される。上記グリル枠４に上記吸込グリル１０が着入されると、図示しない制御装置により上昇運転は停止される。
【００２７】
この実施の形態によれば、上記フィルタ１１の清掃、交換時には、上記吸込グリル１０は降下されて、被調和室の中央部側（空気の吐出側）に傾けられるため、作業者Ａに上記フィルタ１１の状態が確認でき、フィルタ１１の着脱作業が容易に行えるとういう効果がある。
【００２８】
また、この実施の形態によれば、上記フィルタ１１の掃除、交換後、上記吸込グリル１０は、傾いた状態から水平状態に戻されて、水平状態で上昇させるから、上記吸込グリル１０をグリル枠４に無理なくスムーズに装着させることができる。さらに、上記吸込グリル１０は水平状態を保ち上昇されるから、吸込グリル１０の振動を抑えることができる。
【００２９】
以上、本発明を上記実施の形態に基づいて説明したが、本発明はこれに限定されるものではない。
【００３０】
例えば上記昇降グリル２００は、グリル昇降の降下運転において、上記吸込グリル１０を傾けながら降下させる構成を備えてもよい。この場合、上記吸込グリル１０がフィルタ交換位置Ｘ近くの位置Ｙまで降下されると、図示しない制御装置により、上記機械部２１Ａ，２１Ｂの各モータのうち、一方の機械部２１Ａのモータの回転数を増加させて、吊りひも１２の繰り出し量が増加され、上記吸込グリル１０の一端側は、水平状態から空気の吐出側に傾けられながら降下される。
【００３１】
また例えば上記昇降グリル２００は、グリル昇降の上昇運転において、上記吸込グリル１０を傾いた状態から水平状態に戻しながら上昇させる構成を備えてもよい。この場合、図示しない制御装置により、機械部２１Ａ，２１Ｂの各モータが起動され、吊りひも１２，１３が機械部２１Ａ，２１Ｂのローラに巻き取られ、上記吸込グリル１０は上昇され始める。この時、図示しない制御装置により、上記機械部２１Ａ，２１Ｂの各モータのうち、一方の機械部２１Ａのモータの回転数を増加させて、一方の機械部２１Ａのローラから巻き取られる吊りひも１３の巻き取り量が吊りひも１２の巻き取り量より増加されて、空気の吐出側に傾いた上記吸込グリル１０の一端側が水平状態に戻りながら上昇される。そして、フィルタ交換位置Ｘ近くの位置Ｙにおいて、上記吸込グリル１０は傾いた状態から水平状態に戻される。
【００３２】
例えば、一方向カセット型の空気調和装置について説明したが、二方向カセット型のもの、四方向カセット型のものにも適用が可能である。この場合、吸込グリルを傾かせる向きは、空気の吐出側に限定されない。
【００３３】
【発明の効果】
請求項１乃至３に記載の発明によれば、吸込グリルを傾けるため、フィルタ面が現れ、フィルタの状態が確認されて、フィルタの清掃、交換が非常に便利になり、フィルタの着脱作業が容易に行えるという効果がある。
【００３４】
請求項４記載の発明によれば、吸込グリルが傾いた状態から水平状態に戻されて上昇するため、吸込グリルはグリル枠に水平状態のまま装着され、無理なく、スムーズに装着させることができるという効果がある。
【図面の簡単な説明】
【図１】本発明に係る天井埋込型空気調和装置の一実施の形態を示す図である。
【図２】図１に示す天井埋込型空気調和装置の長手方向の断面図である。
【図３】図１に示す天井埋込型空気調和装置において、フィルタの清掃、交換作業時の吸込グリルと作業者との位置関係を示す図である。
【符号の説明】
１  本体
５  吹出口
４  グリル枠
６  吸込口
１０  吸込グリル
１１  フィルタ
１２  吊りひも
１３  吊りひも
２０  昇降機構
２１Ａ  機械部
２１Ｂ  機械部
３０  リモコン
１００  天井埋込型空気調和装置
２００  昇降グリル
Ｘ  フィルタ交換位置
【図１】
0004711545.tif 000002
【図２】
0004711545.tif 000003
【図３】
0004711545.tif 000004